(57)【特許請求の範囲】
【請求項１】
支柱等に設けられ、水平な手摺を着脱可能に保持する手摺の保持装置であって、鉤状部材と棒状部材とからなり、
前記両部材は、一端側を支柱等に固定されるとともに、垂直面内に回動可能とされ、
定常時において、鉤状部材は他端側が斜め上方を指向し、棒状部材の他端側が斜め下方を指向し、棒状部材の他端側が鉤状部材の他端側より斜め下方に延在した状態で接してなることを特徴とする手摺の保持装置。
【請求項２】
床と、この床に立てられた一対の第一支柱、一対の第二支柱と、平面視でコ字型の手摺とからなり、
手摺の両端は、第一支柱に回動可能に固定され、請求項１記載の手摺の保持装置が第二支柱に固定されてなり、上記手摺の保持装置が上記手摺の中間部を着脱可能に保持することを特徴とする作業台。
【発明の詳細な説明】
【０００１】
【発明の属する技術分野】
本発明は、手摺の保持装置及び作業台に関する。
【０００２】
【従来の技術】
従来、一般的に、作業台の一辺を除いた周縁部に安全柵を設け、作業台の一辺に手摺を取り付けた昇降機能を備えた作業台が使われている。
この作業台は、下降させ、手摺を外したり、手摺を下にさげて、手摺を跨いだりして、作業者が作業台に乗り込み、乗り込み後、手摺を嵌めたり、手摺を元の位置に戻して、作業台を上昇させて、作業者が高所で作業台で作業しても、周縁部の柵と手摺で囲まれているため、危なくなく、安全に作業ができるものである。
【０００３】
【発明が解決しようとする課題】
ところが、上記の作業台は、手摺を嵌め込んだり、取り外したりするとき、手摺が重く、着脱に手間取ることがあり、取り外した手摺を置く場所を別に設けねばならないという問題があった。
又、手摺を下にさげて、手摺を跨ぐ場合でも、手摺の両側でロックをはずし、乗り込んだ後、手摺を元の位置に戻し、手摺を両側でロックさせるとき、一方の端から他方の端まで移動せねばならず、着脱に時間がかかるという問題があった。
そこで、本発明の目的は、手摺の取り付け、保持と取り外しが簡単にでき、安全に昇降でき、安全な作業台を提供するものである。
【０００４】
【課題を解決するための手段】
本発明は上記の目的を達成するためになされたもので、請求項１記載の本発明は、支柱等に設けられ、水平な手摺を着脱可能に保持する手摺の保持装置であって、鉤状部材と棒状部材とからなり、両部材は、一端側を支柱等に固定されるとともに、垂直面内に回動可能とされ、定常時において、鉤状部材は他端側が斜め上方を指向し、棒状部材の他端側が斜め下方を指向し、棒状部材の他端側が鉤状部材の他端側より斜め下方に延在した状態で接してなるものである。
【０００５】
請求項２記載の本発明は、床と、この床に立てられた一対の第一支柱、一対の第二支柱と、平面視でコ字型の手摺とからなり、
手摺の両端は、第一支柱に回動可能に固定され、請求項１記載の手摺の保持装置が第二支柱に固定されてなり、上記手摺の保持装置が上記手摺の中間部を着脱可能に保持するものである。
【０００６】
本発明において、手摺、鉤状部材及び棒状部材の断面形状は、円形、角形等適宜の形状でよい。例えば、手摺の外周面が円形であると、手摺をつかんだとき、つかみやすいので、好ましい。
【０００７】
又、鉤状部材及び棒状部材は手摺の出し入れで、垂直面内に回動し、定常時において、鉤状部材は他端側が斜め上方を指向し、棒状部材の他端側が斜め下方を指向するようにするため、鉤状部材について、支柱に固定された鉤状部材の一端側に近い曲り部の外側に重りをつけてもよく、又、棒状部材についても、同様に、支柱に固定された棒状部材の一端側の先端部に重りをつけてもよい。
【０００８】
棒状部材の他端側が鉤状部材の他端側より斜め下方に延在した状態になされているが、手摺が棒状部材の先端部に当たり、棒状部材を上方に回動させることができれば、適宜の延在長さでよい。
【０００９】
手摺、鉤状部材及び棒状部材の材質は、木、合成樹脂及び金属等適宜な材質でよい。例えば、手摺、鉤状部材及び棒状部材を合成樹脂にすると、美観と、軽量、耐久性の点で、好ましい。
【００１０】
（作用）
請求項１記載の本発明は、支柱等に設けられ、水平な手摺を着脱可能に保持する手摺の保持装置であって、鉤状部材と棒状部材とからなり、両部材は、一端側を支柱等に固定されるとともに、垂直面内に回動可能とされ、定常時において、鉤状部材は他端側が斜め上方を指向し、棒状部材の他端側が斜め下方を指向し、棒状部材の他端側が鉤状部材の他端側より斜め下方に延在した状態で接しているから、手摺を下方より棒状部材の延在部分に当て上方に上げることにより棒状部材が上方に回動し、棒状部材が鉤状部材から離れ、手摺を支柱側に押し下げることによって、鉤状部材の内側で手摺を受け止め保持することができる。
【００１１】
請求項２記載の本発明は、床と、この床に立てられた一対の第一支柱、一対の第二支柱と、平面視でコ字型の手摺とからなり、手摺の両端は、第一支柱に回動可能に固定され、請求項１記載の手摺の保持装置が第二支柱に固定されてなり、手摺の保持装置が手摺の中間部を着脱可能に保持するようになされているから、手摺が回動可能に固定された第一支柱と、手摺の保持装置が固定された第二支柱とでコ字型の手摺をしっかりと保持することができる。
【００１２】
又、手摺を外すときは、保持されている手摺を上方に棒状部材を越えるまで持ち上げると、棒状部材が下方に回動して、棒状部材が鉤状部材に当接して、手摺が鉤状部材の内側に入ることを防ぐことができ、手摺の保持装置から手摺を、ワンタッチで、外すことができる。
そのため、作業者が作業台の一方の端から他方の端まで移動して、ロックしなくても、手摺の中間部を持って、ワンタッチで、着脱することができ、手摺の保持装置への取付に手間取ることがなく、着脱時間を短くすることができる。
【００１３】
【発明の実施の形態】
以下，本発明の一実施例を図１〜図５に基づいて詳述する。
図１は手摺の保持装置の説明図、図２は作業台の両端に手摺の保持装置が取り付けられた斜視説明図、図３は図２の一方の端部の拡大説明図、図４は手摺を手摺の保持装置に取り付ける方法を示す説明図、図５は手摺を手摺の保持装置から取り外す方法を示す説明図である。
【００１４】
図１において，Ａは手摺の保持装置であり、この手摺の保持装置Ａは鉤状部材１と棒状部材２とからなっている。
鉤状部材１は、丸い棒状で、一端部の長縦材１１と、他端部の短縦材１２と、長縦材１１の下端部と短縦材１２の下端部とを繋ぐ横材１３とからなっている。
長縦材１１の上端部に取付孔（図示省略）と下端部の外側に重り１４とが設けられている。
棒状部材２は、丸い棒状で、上端に重り２１と上端部で重り２１の下部に取付孔（図示省略）とが設けられている。
図１に示すように、棒状部材２の下端部は鉤状部材１の短縦材１２より延在している。
【００１５】
図２に示すように、作業台Ｂは、床３と、この床３に立てられた一対の第一支柱４と、一対の第二支柱５と、平面視でコ字型の手摺６と、安全柵７とからなっている。
床３は、木製の長方形状で、長手方向の長さ約３ｍ、短手方向の長さ約１ｍで、長手方向の一辺端縁部には安全柵７が上方に向けて設けられており、短手方向の両辺端縁部に一対の第一支柱４と、一対の第二支柱５とが設けられている。
安全柵７と反対側の長手方向の他辺にコ字型の手摺６が設けられている。
【００１６】
一対の第二支柱のほぼ中央部に、手摺の保持装置Ａの棒状部材２と鉤状部材１の長縦材１１の順で、鉤状部材１と棒状部材２とが垂直面内に回動可能に取り付けられている。この取付はそれぞれの取付孔と一対の第二支柱の取付孔（図示省略）にボルトが差し込まれ、ナットで固定されている。
この手摺の保持装置Ａには、鉤状部材１の長縦材の外側の下端部に重り１４と、棒状部材２の上端部先端に重り２１とが設けられ、定常時において、鉤状部材１の短縦材１２が斜め上方を指向し、棒状部材の他端側が斜め下方を指向するようになされている。
【００１７】
コ字型の手摺６は両端の先端部が作業台の一対の第一支柱に回動可能に固定され、両端のほぼ中央部を作業台の一対の第二支柱の中央部に取り付けられた手摺の保持装置Ａに脱着可能に取り付けられている。
図３に示すように、作業台Ｂから作業者が降りる時は、コ字型の手摺６を手摺の保持装置Ａから外し手摺６を下方に回動させ、作業台Ｂの床３の上に置いて、作業台Ｂを跨いで降りるようになされている。
【００１８】
次に，この手摺の保持装置Ａの取付方法と使用方法を説明しながら、作用を説明する。
先ず、作業台Ｂの床３の長手方向の一辺端縁部に安全柵７と、短手方向の両辺端縁部に一対の第一支柱４と、一対の第二支柱５とを上方に向けて取り付ける。
【００１９】
次に，手摺の保持装置Ａの鉤状部材１の長縦材の外側の下端部に重り１４と、棒状部材２の上端部先端に重り２１を取り付け、定常時において、鉤状部材１の短縦材１２が斜め上方を指向し、棒状部材の他端側が斜め下方を指向するようにする。
次に、一対の第二支柱５のほぼ中央部の取付孔と、手摺の保持装置Ａの棒状部材２の先端部の取付孔と、鉤状部材１の長縦材１１の先端部の取付孔とにボルトを差し込んで、鉤状部材１と棒状部材２とが垂直面内に回動可能になるように、ナットで固定する。
【００２０】
次に、手摺６の両端の先端部を作業台の一対の第一支柱のほぼ中央部に回動可能に固定する。
次に、手摺６の両端のほぼ中央部を作業台の一対の第二支柱の中央部に取り付けられた手摺の保持装置Ａに脱着可能に取り付ける。
【００２１】
次に、手摺６の手摺の保持装置Ａへの取り付けと取り外しを、図４及び図５で、説明する。
手摺６を手摺の保持装置Ａに取り付ける時は、図４の（イ）に示すように、手摺６を手摺の保持装置Ａの下方より手摺の保持装置Ａの棒状部材２の先端部の延在している部分に当てる。
次に、（ロ）に示すように、手摺６を上方に上げる。
次に、（ハ）に示すように、手摺６を手摺の保持装置Ａの鉤状部材１の内側に入れて、鉤状部材１で手摺６を保持する。
【００２２】
次に、手摺６を手摺の保持装置Ａから外すときは、図５の（イ）に示すように、手摺の保持装置Ａで保持されている手摺６を上方に上げて、手摺の保持装置Ａの棒状部材２を上方に回動させる。
次に、（ロ）に示すように、手摺６を棒状部材２の上の位置まで上げる。
すると、（ハ）に示すように、棒状部材２は下方に回動して、棒状部材２の先端部と鉤状部材１の短縦材１２とが当接し、手摺６を手摺の保持装置Ａから外すことができる。
【００２３】
このようにすると、手摺の保持装置Ａは、水平な手摺６を着脱可能に保持でき、作業台Ｂの一対の第二支柱５に取り付けられ、鉤状部材１と棒状部材２とからなり、両部材１、２は、一端側を第二支柱５に固定されるとともに、垂直面内に回動可能とされ、定常時において、鉤状部材１は他端側が斜め上方を指向し、棒状部材２の他端側が斜め下方を指向し、棒状部材２の他端側が鉤状部材１の他端側より斜め下方に延在した状態で接しているから、手摺６を下方より棒状部材２の延在部分に当て上方に上げることにより棒状部材２が上方に回動し、棒状部材２が鉤状部材１から離れ、手摺６を第二支柱５に押し下げることによって、鉤状部材１の内側で手摺６を受け止め保持することができる。
【００２４】
又、作業台Ｂは、床３と、この床３に立てられた一対の第一支柱４、一対の第二支柱５と、平面視でコ字型の手摺６とからなり、手摺６の両端は、第一支柱４に回動可能に固定され、手摺の保持装置Ａが第二支柱５に固定されてなり、手摺の保持装置Ｂが手摺６の中間部を着脱可能に保持するようになされているから、手摺６が回動可能に固定された第一支柱４と、手摺の保持装置Ａが固定された第二支柱５とでコ字型の手摺６をしっかりと保持することができる。
【００２５】
又、手摺６を外すときは、保持されている手摺６を上方に棒状部材２を越えるまで持ち上げると、棒状部材２が下方に回動して、棒状部材２が鉤状部材１に当接して、手摺６が鉤状部材１の内側に入ることを防ぐことができ、手摺の保持装置Ａから手摺を、ワンタッチで、外すことができる。
そのため、作業者が作業台Ｂの一方の端から他方の端まで移動して、ロックしなくても、手摺６の中間部を持って、ワンタッチで、着脱することができ、手摺の保持装置Ａへの取付に手間取ることがなく、着脱時間を短くすることができる。
【００２６】
【発明の効果】
以上説明してきたように、請求項１記載の本発明は、支柱等に設けられ、水平な手摺を着脱可能に保持する手摺の保持装置であって、鉤状部材と棒状部材とからなり、両部材は、一端側を支柱等に固定されるとともに、垂直面内に回動可能とされ、定常時において、鉤状部材は他端側が斜め上方を指向し、棒状部材の他端側が斜め下方を指向し、棒状部材の他端側が鉤状部材の他端側より斜め下方に延在した状態で接しているから、手摺を下方より棒状部材の延在部分に当て上方に上げることにより棒状部材が上方に回動し、棒状部材が鉤状部材から離れ、手摺を支柱側に押し下げることによって、鉤状部材の内側で手摺を受け止め保持することができる。
【００２７】
請求項２記載の本発明は、床と、この床に立てられた一対の第一支柱、一対の第二支柱と、平面視でコ字型の手摺とからなり、手摺の両端は、第一支柱に回動可能に固定され、請求項１記載の手摺の保持装置が第二支柱に固定されてなり、手摺の保持装置が手摺の中間部を着脱可能に保持するようになされているから、手摺が回動可能に固定された第一支柱と、手摺の保持装置が固定された第二支柱とでコ字型の手摺をしっかりと保持することができる。
【００２８】
又、手摺を外すときは、保持されている手摺を上方に棒状部材を越えるまで持ち上げると、棒状部材が下方に回動して、棒状部材が鉤状部材に当接して、手摺が鉤状部材の内側に入ることを防ぐことができ、手摺の保持装置から手摺を、ワンタッチで、外すことができる。
そのため、作業者が作業台の一方の端から他方の端まで移動して、ロックしなくても、手摺の中間部を持って、ワンタッチで、着脱することができ、手摺の保持装置への取付に手間取ることがなく、着脱時間を短くすることができる。
【図面の簡単な説明】
【図１】本発明の一実施例を示すもので、手摺の保持装置の説明図である。
【図２】作業台の両端に手摺の保持装置が取り付けられた斜視説明図である。
【図３】図２の一方の端部の拡大説明図である。
【図４】手摺を手摺の保持装置に取り付ける方法を示す説明図である。
【図５】手摺を手摺の保持装置から取り外す方法を示す説明図である。
【符号の説明】
Ａ                手摺の保持装置
Ｂ                作業台
１                鉤状部材
１１              長縦材
１２              短縦材
１３              横材
１４              重り
２                棒状部材
２１              重り
３                床
４                第一支柱
５                第二支柱
６                手摺
７                安全柵
【図１】
0004012319.tif 000002
【図２】
0004012319.tif 000003
【図３】
0004012319.tif 000004
【図４】
0004012319.tif 000005
【図５】
0004012319.tif 000006